(57)【要約】【課題】電池の液漏れによって不具合が発生する可能性を低減できる電気錠制御装置、電気錠制御システム、電気錠システム、および電気錠付戸を提供する。【解決手段】電気錠制御装置２は、戸１００に組み込まれる筐体６０と、電気錠を制御する制御回路２１とを備える。筐体６０は第１収納部６１と第２収納部６２とを有する。第１収納部６１は制御回路２１を収納する。第２収納部６２は、制御回路２１に給電するための電池２５を収納する。設置状態において第１収納部６１が第２収納部６２の下に位置するように、第１収納部６１および第２収納部６２が筐体６０に設けられる。設置状態は、筐体６０が戸１００に組み込まれ、建物に設けられた枠体に戸１００が設置された状態である。筐体６０は、設置状態において電池２５の下端と制御回路２１との間に配置される壁部６３を有する。【選択図】図１
2019108684.tif 000002
【特許請求の範囲】
【請求項１】
戸に組み込まれる筐体と、電気錠を制御する制御回路とを備え、
前記筐体は、前記制御回路を収納する第１収納部と、前記制御回路に給電するための電池を収納する第２収納部とを有し、
前記筐体が前記戸に組み込まれ、建物に設けられた枠体に前記戸が設置された設置状態において、前記第１収納部が前記第２収納部の下に位置するように、前記第１収納部および前記第２収納部が前記筐体に設けられ、
前記筐体が、前記設置状態において前記電池の下端と前記制御回路との間に配置される壁部を有する
電気錠制御装置。
【請求項２】
前記壁部は、前記第２収納部と対向する部位に、前記第１収納部側に凹んだ凹部を有する
請求項１に記載の電気錠制御装置。
【請求項３】
前記筐体の少なくとも一部は、前記設置状態において前記戸における前記枠体側の表面に露出し、
前記筐体は、前記戸における前記枠体側の表面に露出する部位に、前記電池を前記第２収納部に挿入するための開口部を有し、
前記設置状態において、前記凹部の底面が、前記開口部の下端よりも下方に位置する
請求項２に記載の電気錠制御装置。
【請求項４】
前記設置状態において、前記凹部の前記底面は、前記枠体側の端部よりも反対側の端部の方が下方に位置する
請求項３に記載の電気錠制御装置。
【請求項５】
前記電池の形は円筒形であり、
前記壁部は、前記第２収納部に収納される前記電池の長手方向に沿って設けられ、
前記凹部は、前記電池の長手方向に沿って前記壁部に設けられた溝であり、
前記溝の幅方向の寸法が、前記電池の直径の寸法よりも小さい
請求項３又は４に記載の電気錠制御装置。
【請求項６】
前記筐体には、前記筐体の外部と前記凹部との間で前記筐体を貫通する筐体貫通部を有する
請求項２〜５のいずれか１項に記載の電気錠制御装置。
【請求項７】
前記壁部における前記凹部の底面であって、前記設置状態において前記制御回路の上に位置しない部位には、前記壁部を上下方向に貫通する壁貫通部を有する
請求項２〜６のいずれか１項に記載の電気錠制御装置。
【請求項８】
請求項１〜７のいずれか１項に記載の電気錠制御装置と、
前記電気錠の施錠および解錠の少なくとも一方のための情報の入力を受け付ける受付装置と、を備える
電気錠制御システム。
【請求項９】
請求項８に記載の電気錠制御システムと、
前記戸の施錠および解錠の少なくとも一方を行う前記電気錠と、を備える
電気錠システム。
【請求項１０】
請求項９に記載の電気錠システムと、
前記電気錠システムが取り付けられる戸本体と、を備える
電気錠付戸。
【発明の詳細な説明】
【技術分野】
【０００１】
本開示は、電気錠制御装置、電気錠制御システム、電気錠システム、および電気錠付戸に関する。より詳細には、本開示は、戸に設けられた電気錠を制御する電気錠制御装置、電気錠制御システム、電気錠システム、および電気錠付戸に関する。
【背景技術】
【０００２】
従来、扉を電動で施錠および解錠する電気錠と、電気錠を施錠するように制御する制御部とを備えた閉扉システムがあった（例えば特許文献１参照）。この閉扉システムでは、電気錠を施解錠するための鍵としての情報記録媒体から情報を読み取るための情報読取装置と、電気錠装置とが扉に設けられている。
【先行技術文献】
【特許文献】
【０００３】
【特許文献１】特開２０１４−１１８７５７号公報
【発明の概要】
【発明が解決しようとする課題】
【０００４】
特許文献１の閉扉システム（電気錠システム）では、扉（戸）に情報読取装置と電気錠装置とが取り付けられている。ここで、扉の内部において電気錠装置（電気錠制御装置）の上側に、電気錠装置に電力を供給する電池が配置されていると、電池の液漏れが発生した場合に電池から漏れた液体が電気錠装置に付着して不具合が発生する可能性がある。
【課題を解決するための手段】
【０００５】
本開示の一態様の電気錠制御装置は、戸に組み込まれる筐体と、電気錠を制御する制御回路とを備える。前記筐体は、前記制御回路を収納する第１収納部と、前記制御回路に給電するための電池を収納する第２収納部とを有する。設置状態において前記第１収納部が前記第２収納部の下に位置するように、前記第１収納部および前記第２収納部が前記筐体に設けられる。前記設置状態は、前記筐体が前記戸に組み込まれ、建物に設けられた枠体に前記戸が設置された状態である。前記筐体が、前記設置状態において前記電池の下端と前記制御回路との間に配置される壁部を有する。
【０００６】
本開示の一態様の電気錠制御システムは前記電気錠制御装置と受付装置とを備える。前記受付装置は、前記電気錠の施錠および解錠の少なくとも一方のための情報の入力を受け付ける。
【０００７】
本開示の一態様の電気錠システムは前記電気錠制御システムと前記電気錠とを備える。前記電気錠は、前記戸の施錠および解錠の少なくとも一方を行う。
【０００８】
本開示の一態様の電気錠付戸は、前記電気錠システムと、前記電気錠システムが取り付けられる戸本体と、を備える。
【発明の効果】
【０００９】
本開示によれば、電池の液漏れによって不具合が発生する可能性を低減できる電気錠制御装置、電気錠制御システム、電気錠システム、および電気錠付戸を提供することができる。
【図面の簡単な説明】
【００１０】
【図１】図１は、本開示の実施形態１に係る電気錠制御装置が戸に組み込まれた状態の斜視図である。
【図２】図２は、同上の電気錠制御装置が組み込まれた戸の外観斜視図である。
【図３】図３は、同上の電気錠制御装置を含む電気錠システムのブロック図である。
【図４】図４は、同上の電気錠制御装置が戸に組み込まれた状態を前側から見た断面図である。
【図５】図５は、本開示の実施形態１の変形例１に係る電気錠制御装置が戸に組み込まれた状態を前側から見た断面図である。
【図６】図６は、本開示の実施形態１の変形例２に係る電気錠制御装置が戸に組み込まれた状態を前側から見た断面図である。
【図７】図７は、本開示の実施形態１の変形例３に係る電気錠制御装置が戸に組み込まれた状態の外観斜視図である。
【発明を実施するための形態】
【００１１】
（実施形態１）
（１）概要
本実施形態に係る電気錠制御装置２の概要について、図１〜図４を参照して説明する。
【００１２】
本実施形態に係る電気錠制御装置２は、戸１００に組み込まれる筐体６０（図１および図２参照）と、電気錠４（４Ａ，４Ｂ）を制御する制御回路２１（図３参照）とを備える。
【００１３】
筐体６０は第１収納部６１と第２収納部６２とを有する。
【００１４】
第１収納部６１は、制御回路２１を収納する。
【００１５】
第２収納部６２は、制御回路２１に給電するための電池２５を収納する。
【００１６】
第１収納部６１および第２収納部６２は、設置状態（図１および図２参照）において、第１収納部６１が第２収納部６２の下に位置するように、筐体６０に設けられる。ここで、設置状態とは、筐体６０が戸１００に組み込まれ、建物１２０に設けられた枠体１３０に戸１００が設置された状態である。
【００１７】
筐体６０は、設置状態において電池２５の下端と制御回路２１との間に配置される壁部６３を有する。本実施形態では第２収納部６２に複数（例えば４本）の電池２５が収納されている。壁部６３は、最も下側にある電池２５の下端と制御回路２１との間に配置される。
【００１８】
本実施形態では、電池２５で液漏れが発生したとしても、電池２５から漏れた液体（電解液等）を壁部６３で受けることで、電池２５から漏れた液体が制御回路２１に付着しにくくなる。したがって、電池２５の液漏れが発生した場合でも、電池２５から漏れた液体によって不具合が発生する可能性を低減できる。
【００１９】
（２）詳細
実施形態１に係る電気錠制御装置２、電気錠制御システム１、および電気錠システム１０について図面を参照して詳しく説明する。
【００２０】
電気錠システム１０は、電気錠制御システム１と、電気錠４（４Ａ，４Ｂ）とを備える。電気錠４（４Ａ，４Ｂ）は、戸１００の施錠および解錠の少なくとも一方を行う。
【００２１】
電気錠制御システム１は、電気錠制御装置２と、受付装置３とを備える。受付装置３は、電気錠４（４Ａ，４Ｂ）の施錠および解錠の少なくとも一方のための情報の入力を受け付ける。受付装置３は、ユーザの操作に応じた操作情報の入力を受け付ける。また、受付装置３は、ユーザが所持する鍵装置５から鍵情報の入力を受け付ける。ここにおいて、ユーザは、例えば建物１２０の住人であって、鍵装置５を所持する住人である。
【００２２】
また、戸（電気錠付戸）１００は、電気錠システム１０と、電気錠システム１０が取り付けられる戸本体１０１と、を備える。
【００２３】
戸１００は、建物（例えば住宅など）１２０の開口部（例えば玄関など）を開閉する開閉部材である。本実施形態の戸１００は、図２に示すように、枠体１３０に対して回転可能な状態で支持された開き戸である。以下の説明において、特に断りが無い場合、図１において、戸１００の幅方向（短手方向）を左右方向といい、上下方向および左右方向とそれぞれ直交する方向を前後方向という。また、前後方向において戸１００から建物１２０の外側を向く方向を前方といい、前後方向において戸１００から建物１２０の内側を向く方向を後方という。なお、図１等において方向を示す矢印は説明のために図示しているだけで、実際には存在しない。
【００２４】
戸１００の前面にはハンドル１１０が設けられている。戸１００にはハンドル１１０の上側および下側にシリンダー錠４１Ａ，４１Ｂが設けられている。戸１００には、シリンダー錠４１Ａを電動で解錠又は施錠する電気錠４Ａと、シリンダー錠４１Ｂを電動で解錠又は施錠する電気錠４Ｂとが設けられている。戸１００の前面には、ハンドル１１０の上側に受付装置３が設けられている。また、戸１００には、受付装置３の上側に、受付装置３が受け付けた情報に基づいて電気錠４Ａ，４Ｂを制御する電気錠制御装置２が取り付けられている。なお、以下の説明において電気錠４Ａ，４Ｂを特に区別せずに説明する場合は電気錠４と記載する。
【００２５】
以下、各部の構成及び動作について詳細に説明する。
【００２６】
（２．１）鍵装置
鍵装置５は、電気錠４の解錠および施錠の少なくとも一方を行うためにユーザによって使用される。鍵装置５は、例えばスマートフォンのような携帯端末、ユーザが所持する鞄などに収納又は取付可能な電子タグ、およびＩＣ（Integrated Circuit）カード等である。本実施形態では、鍵装置５は、例えば携帯端末であり、鍵側制御部５１と、鍵側通信部５２と、鍵側操作部５３と、鍵側記憶部５４と、表示部５５と、を備えている。
【００２７】
鍵側制御部５１は、例えば、プロセッサおよびメモリを有するマイクロコンピュータで構成されている。つまり、鍵側制御部５１は、プロセッサおよびメモリを有するコンピュータシステムで実現されている。そして、プロセッサが適宜のプログラムを実行することにより、コンピュータシステムが鍵側制御部５１として機能する。プログラムは、メモリに予め記録されていてもよいし、インターネット等の電気通信回線を通じて、又はメモリカード等の非一時的な記録媒体に記録されて提供されてもよい。
【００２８】
鍵側通信部５２は、例えば、アンテナと、通信回路と、を有している。鍵側通信部５２は、受付装置３の錠側通信部３１との間で、例えば電波を媒体とする無線通信を行う。無線通信にて使用する周波数帯域は、例えば、４２０ＭＨｚ帯、９２０ＭＨｚ帯、２．４ＧＨｚ帯などである。鍵側通信部５２は、例えばＢＬＥ（Bluetooth（登録商標） Low Energy）の規格に準拠した無線通信を行うように構成されている。なお、鍵側通信部５２の通信方式はＢＬＥに限定されず、ＺｉｇＢｅｅ（登録商標）などの規格に準拠した通信方式でもよい。鍵側通信部５２は、受付装置３から送信されるビーコン信号を受信する。鍵側通信部５２は、ビーコン信号を受信すると、ビーコン信号を受信したことを通知するビーコン応答を受付装置３へ送信する。つまり、鍵側通信部５２は、信号の送信機能および受信機能を有しており、受付装置３との間で双方向の通信を行うように構成されている。鍵装置５からのビーコン応答を受付装置３が受信することにより、鍵装置５の認証を行うための認証通信が受付装置３と鍵装置５との間で開始される。
【００２９】
鍵側操作部５３は、ユーザによる操作入力を受け付ける機能を有している。本実施形態では、鍵側操作部５３は、表示部５５を構成するディスプレイ装置に設けられたタッチパネルを有している。タッチパネルは、静電容量方式、感圧式などのタッチセンサを有する。ユーザが表示部５５のディスプレイ装置に触れる操作（タップ操作、スワイプ操作等）を行うと、鍵側操作部５３は、操作に応じた信号を鍵側制御部５１に出力する。なお、鍵側操作部５３は、例えば鍵装置５のケースに設けられた押釦スイッチで構成されていてもよいし、鍵装置５のケースに設けられたレバーで構成されていてもよい。
【００３０】
鍵側記憶部５４は、例えばＥＥＰＲＯＭ（Electrically Erasable and Programmable Read-Only Memory）のような電気的に書き換え可能な不揮発性メモリを備える。鍵側記憶部５４は、鍵装置５に割り当てられた個別の識別情報、および電気錠制御システム１から付与された鍵情報等を記憶する。また、鍵側記憶部５４には、鍵装置５のコンピュータシステムが実行するプログラムが記憶されている。このプログラムは、予めメモリに記憶されていてもよいし、インターネット等の電気通信回線を通じて、又はメモリカード等の非一時的な記録媒体に記録されて提供されてもよい。本実施形態のように、鍵装置５がスマートフォンであれば、鍵側記憶部５４には、ユーザが任意にインストールしたアプリケーションが記憶されていてもよい。
【００３１】
表示部５５は、例えば液晶ディスプレイ、有機ＥＬ（Electro Luminescence）ディスプレイ等の薄型ディスプレイ装置である。表示部５５は、鍵側制御部５１によって表示内容が制御される。
【００３２】
（２．２）受付装置
受付装置３は、電気錠４（４Ａ，４Ｂ）の施錠および解錠の少なくとも一方のための情報の入力を受け付ける。
【００３３】
受付装置３は、錠側通信部３１と、錠側操作部３２と、を備える。
【００３４】
錠側通信部３１は、例えば、アンテナと、通信回路と、を有している。錠側通信部３１は、ユーザが使用する鍵装置５との間で、例えば電波を媒体とする無線通信を行う。錠側通信部３１は、例えばＢＬＥの規格に準拠した無線通信を行うように構成されている。錠側通信部３１は、錠側制御部２２からの指令に従って、ビーコン信号を間欠的に送信する。また、錠側通信部３１は、ビーコン応答を受信する。ビーコン応答は、ビーコン信号に応答した鍵装置５から送信される。つまり、錠側通信部３１は、信号の送信機能および受信機能を有しており、鍵装置５との間で双方向の通信を行うように構成されている。錠側通信部３１は、鍵装置５から鍵情報を受信すると、受信した鍵情報を電気錠制御装置２に出力する。
【００３５】
錠側操作部３２は、ユーザによる操作入力を受け付ける機能を有している。錠側操作部３２は、例えば、戸１００の前面に露出する押釦スイッチ３２１（図２参照）を有する。錠側操作部３２は、建物１２０の内側と外側との各々に設けられている。錠側操作部３２は、ユーザによる操作入力を受け付けると、操作入力に応じた操作情報を錠側制御部２２に出力する。錠側操作部３２は、例えば戸１００（玄関扉）に備わっているハンドル１１０に設けられていてもよく、ユーザがハンドル１１０に触れる操作を検知するタッチセンサ等であってもよい。
【００３６】
以上のように、受付装置３の錠側通信部３１は、鍵装置５から送信される錠制御信号を受け付け、錠制御信号を錠側制御部２２（電気錠制御装置２）に出力する。また、受付装置３の錠側操作部３２は、ユーザによる操作入力を受け付け、操作入力に応じた操作情報を錠側制御部２２（電気錠制御装置２）に出力する。
【００３７】
（２．３）電気錠制御装置
電気錠制御装置２は制御回路２１を備える。制御回路２１は錠側制御部２２と錠側記憶部２４とを備える。
【００３８】
錠側記憶部２４は、例えばＥＥＰＲＯＭのような電気的に書き換え可能な不揮発性メモリを備える。錠側記憶部２４は、電気錠４の制御を許可された１台以上の鍵装置５の鍵情報を認証情報として記憶する。
【００３９】
錠側制御部２２は、例えば、プロセッサおよびメモリを有するマイクロコンピュータで構成されている。つまり、錠側制御部２２は、プロセッサおよびメモリを有するコンピュータシステムで実現されている。そして、プロセッサが適宜のプログラムを実行することにより、コンピュータシステムが錠側制御部２２として機能する。本実施形態では、錠側制御部２２は認証部２３の機能を有している。プログラムは、メモリに予め記録されていてもよいし、インターネット等の電気通信回線を通じて、又はメモリカード等の非一時的な記録媒体に記録されて提供されてもよい。
【００４０】
認証部２３は、受付装置３が鍵装置５から受信した鍵情報を、錠側記憶部２４が記憶する認証情報と照合することによって、鍵情報を送信してきた鍵装置５が、電気錠４の制御を許可された鍵装置５であるか否かを認証する認証処理を行う。本実施形態では、例えば、受付装置３から錠側制御部２２に錠側操作部３２の操作入力に応じた操作情報が入力されると、錠側制御部２２の認証部２３が認証処理を行う。すなわち、認証部２３は、鍵情報を送信してきた鍵装置５が正規の鍵装置であるか否かを認証する。錠側制御部２２は、認証部２３での認証に成功した場合、制御信号（解錠信号又は施錠信号）を電気錠４（４Ａ，４Ｂ）へ出力する。
【００４１】
本実施形態では、制御回路２１と、制御回路２１に給電するための電池２５とが、１つの筐体６０（図１参照）に収納されている。
【００４２】
筐体６０は、制御回路２１を収納する第１収納部６１と、電池２５を収納する第２収納部６２とを有する箱状である。筐体６０は、例えば、前後方向において２つの部材（ボディ６４およびカバー６５）に分かれている。ボディ６４およびカバー６５はそれぞれ合成樹脂の成形品である。ボディ６４およびカバー６５は、例えばネジなどの締結部材を用いて結合される。
【００４３】
第１収納部６１および第２収納部６２は、設置状態において第１収納部６１が第２収納部６２の下に位置するように、筐体６０に設けられている。筐体６０には、第１収納部６１と第２収納部６２との間に壁部６３が設けられている。壁部６３は、設置状態において電池２５の下端と制御回路２１との間に配置される。
【００４４】
筐体６０の左右方向における一方の側面（例えば左側面）６０１は、設置状態において戸１００（戸本体１０１）の枠体１３０側の表面１０２に露出している（図１参照）。また、筐体６０は、戸１００の表面１０２に露出する部位であって、第２収納部６２に対応する部位に開口部６０２が設けられている。開口部６０２は、電池２５を第２収納部６２に挿入したり、電池２５を第２収納部６２から取り出したりするための開口である。そして、筐体６０には、開口部６０２を塞ぐ蓋６６が、ネジなどの締結部材を用いて着脱可能な状態で取り付けられる。
【００４５】
第１収納部６１には、制御回路２１が実装された回路基板２１０が収納される。回路基板２１０の下部には電線接続用のコネクタ２１１，２１２が実装されている。筐体６０の下壁６０３には、コネクタ２１１を露出させる貫通孔６０４、および、コネクタ２１２を露出させる貫通孔６０５が設けられている（図４参照）。コネクタ２１１には、受付装置３と電気錠制御装置２との間を電気的に接続するための電線Ｌ１（図２参照）が接続される。コネクタ２１２には、電気錠４と電気錠制御装置２との間を電気的に接続するための電線Ｌ２（図２参照）が接続される。
【００４６】
本実施形態では第２収納部６２に４本の電池２５が収納可能である。電池２５の形は例えば円筒形である。第２収納部６２には、４本の電池２５が上下方向に並べて収納されている。筐体６０の前壁および後壁の内側面にはガイド溝６２１，６２２がそれぞれ形成されている（図１参照）。ガイド溝６２１，６２２は、４本の電池２５を前後から挟む４つの溝を含み、４つの溝は左右方向に沿って延びている。本実施形態では、第２収納部６２に、プラス極とマイナス極の向きが互い違いになるように４本の電池２５が収納される。第２収納部６２の右端部には３つの導電部材７１〜７３が配置されている。３つの導電部材７１〜７３はそれぞれ金属線で形成され、互いに接触しないように配置されている。導電部材７１は、最も上側にある電池２５のプラス極と制御回路２１との間を電気的に接続する。導電部材７２は、最も下側にある電池２５のマイナス極と制御回路２１との間を電気的に接続する。導電部材７３は、中央の２本の電池２５のマイナス極とプラス極とを電気的に接続するまた、蓋６６の内側面には２つの導電部材７４，７５が取り付けられている。導電部材７４，７５はそれぞれ金属線で形成されている。導電部材７４は、上側の２本の電池２５のマイナス極とプラス極とを電気的に接続する。導電部材７５は、下側の２本の電池２５のマイナス極とプラス極とを電気的に接続する。これにより、第２収納部６２に収納される４本の電池２５は電気的に直列に接続される。壁部６３には導電部材７１，７２を通すための貫通部が設けられているが、この貫通部は電池２５の下側に位置しないように設けられているので、電池２５から漏れた液体２５１が貫通部を通って第１収納部６１に落下する可能性を低減できる。なお、導電部材７１，７２は、壁部６３の貫通部を通して配置されるものに限定されない。筐体６０の側壁において、第１収納部６１に対応する部位と第２収納部６２に対応する部位とに貫通部をそれぞれ設け、これらの貫通部に導電部材７１，７２を通すことで、導電部材７１，７２の一部が筐体６０の外側に配置されてもよい。また、電池２５の本数および接続方法（直列接続又は並列接続）は必要な電圧および電流容量に応じて適宜変更が可能である。
【００４７】
壁部６３は、電池２５の下端と制御回路２１との間に存在する。壁部６３は、電池２５の下端と制御回路２１との間に少なくとも設けられていればよいが、本実施形態では、壁部６３は、筐体６０の内部において左右方向の一端と他端との間（つまり左端と右端との間）に全体にわたって設けられている。また、壁部６３の前後方向の両端部は筐体６０の内壁（前壁および後壁）にそれぞれ接している。これにより、第１収納部６１に収納された制御回路２１と、第２収納部６２に収納された電池２５との間には壁部６３が存在する。したがって、電池２５の液漏れが発生した場合でも、電池２５から漏れた液体２５１を壁部６３が受けることができるので、電池２５から漏れた液体２５１が制御回路２１に付着するような不具合が発生する可能性を低減できる。一般に、電池２５の液漏れによる不具合を考慮して、制御回路２１などの電気回路は電池２５よりも上側に配置されるのであるが、本実施形態では壁部６３を設けているので、電池２５の下側に制御回路２１を配置できる。したがって、制御回路２１の下側にコネクタ２１１，２１２を設けることができ、制御回路２１の下側に配置される受付装置３および電気錠４と制御回路２１との間の電線Ｌ１，Ｌ２をコネクタ２１１，２１２に接続する作業が容易になるという利点がある。
【００４８】
ここで、壁部６３は、第２収納部６２と対向する部位に凹部６３１（図１、図４参照）を有している。凹部６３１は、壁部６３における第２収納部６２側の部位（つまり、第２収納部６２に面する部位）に設けられている。凹部６３１は第２収納部６２側から第１収納部６１側に凹んでおり、設置状態において凹部６３１は上側から下側に凹んでいる。本実施形態では、凹部６３１は、壁部６３における開口部６０２側（つまり筐体６０の側面に対向する枠体１３０側）の端部（左端）に設けられている。また、設置状態において、凹部６３１の底面、つまり凹部６３１の底面の下端は、開口部６０２の下端よりも下方に位置している（図４参照）。
【００４９】
このように、壁部６３には凹部６３１が設けられているので、電池２５の液漏れが発生した場合に、電池２５から漏れた液体２５１を凹部６３１に溜めることができる。つまり、凹部６３１が液体２５１を溜める液溜め部となる。凹部６３１の容積は、電池２５から漏れる液体２５１の想定体積よりも大きいことが好ましく、凹部６３１から液体２５１が溢れる可能性を低減できる。したがって、制御回路２１に液体２５１が付着しにくくなり、制御回路２１に液体２５１が付着する不具合が起こりにくくなる。また、凹部６３１の底面の下端は、開口部６０２の下端よりも下方に位置しているので、凹部６３１に溜まった液体２５１が開口部６０２から筐体６０の外に出る可能性を低減できる。
【００５０】
上記の実施形態では、壁部６３には、設置状態において戸本体１０１の表面１０２側の端部に凹部６３１が設けられているが、凹部６３１の位置は上記の形態に限定されない。壁部６３には、左右方向における中央部に凹部が設けられてもよい。また、壁部６３には、設置状態において戸本体１０１の表面１０２側と反対側の端部に凹部が設けられてもよい。
【００５１】
（２．４）電気錠
電気錠４Ａ，４Ｂは電動で戸１００を解錠および施錠する。電気錠４Ａ，４Ｂはシリンダー錠４１Ａ，４１Ｂを駆動する駆動回路を有している。駆動回路は、電気錠制御装置２の錠側制御部２２から出力される制御信号（解錠信号又は施錠信号）に応じてシリンダー錠４１Ａ，４１Ｂを駆動し、シリンダー錠４１Ａ，４１Ｂが備える掛け金を施錠位置又は解錠位置に移動させる。
【００５２】
本実施形態では戸１００に２つの電気錠４Ａ，４Ｂが設けられており、電気錠制御装置２の錠側制御部２２から出力される制御信号によって、２つの電気錠４Ａ，４Ｂが制御される。なお、電気錠４Ａ，４Ｂの数は２個に限定されず、１個でもよいし、３個以上でもよい。
【００５３】
（２．５）動作説明
本実施形態の電気錠制御システム１による認証動作について説明する。電気錠制御装置２の錠側制御部２２は、受付装置３の錠側通信部３１を制御して、錠側通信部３１からビーコン信号を間欠的に送信させる。例えば鍵装置５を持つユーザが帰宅する際に、鍵装置５を持つユーザが受付装置３の通信エリアに入ると、受付装置３からのビーコン信号を鍵装置５が受信する。
【００５４】
鍵装置５は、受付装置３からのビーコン信号を受信すると、ビーコン応答を受付装置３へ送信する。受付装置３の錠側通信部３１は、鍵装置５からのビーコン応答を受信すると、ビーコン応答の送信元の鍵装置５に鍵情報を要求する要求信号を送信する。錠側通信部３１は、鍵装置５から鍵情報を受信すると、受信した鍵情報を電気錠制御装置２に出力する。受付装置３から電気錠制御装置２に鍵情報が入力されると、認証部２３は、この鍵情報を、錠側記憶部２４が記憶する認証情報と照合することによって、鍵情報を送信してきた鍵装置５が、電気錠４の操作を許可された鍵装置５であるか否かを認証する認証処理を行う。
【００５５】
認証処理に成功した場合、錠側制御部２２は、自動的に又はユーザによる錠側操作部３２の操作を待って電気錠４を制御し、戸１００を施錠又は解錠する。
【００５６】
一方、認証処理に失敗した場合、錠側制御部２２は電気錠４を制御せず、戸１００の施錠又は解錠が行われない。
【００５７】
このように、本実施形態の電気錠制御システム１および電気錠システム１０によれば、電気錠制御装置２が、受付装置３が受け付けた情報（鍵情報、操作情報）にしたがって電気錠４の施錠および解錠の少なくとも一方を制御できる。なお、上記の認証動作は一例であり、電気錠制御システム１の認証動作は適宜変更が可能である。例えば、電気錠制御システム１は、受付装置３が電子タグや非接触のＩＣカードなどから受け付けた鍵情報を用いて認証処理を行い、認証処理が成功すると、電気錠４を制御して、戸１００を施錠又は解錠してもよい。また、電気錠制御システム１では、ユーザが、電気錠制御装置２と離れた場所から遠隔操作用の操作器等を操作して、戸１００を施錠又は解錠することもできる。電気錠制御装置２は、受付装置３が遠隔操作用の操作器等から無線信号で送信された解錠信号又は施錠信号を受け付けると、戸１００を施錠又は解錠する。
【００５８】
（３）変形例
上記の実施形態１は、本開示の様々な実施形態の一つに過ぎない。上記実施形態は、本開示の目的を達成できれば、設計等に応じて種々の変更が可能である。
【００５９】
以下、実施形態１の変形例を列挙する。以下に説明する変形例は、適宜組み合わせて適用可能である。
【００６０】
（３．１）変形例１
変形例１の電気錠制御装置２は、筐体６０の外部と凹部６３１との間で筐体６０を貫通する筐体貫通部６２３（図５参照）を備える点で、実施形態１の電気錠制御装置２と相違する。以下、実施形態１と同様の構成については、共通の符号を付して適宜説明を省略する。
【００６１】
筐体貫通部６２３は、筐体６０の前壁および後壁において、凹部６３１の下部と筐体６０の外部との間に設けられた貫通孔である。なお、筐体貫通部６２３は、筐体６０の前壁および後壁にそれぞれ設けられる必要はなく、筐体６０の前壁と後壁とのいずれかに設けられてもよい。また、図５の例では、筐体６０の前壁および後壁に筐体貫通部６２３が１つだけ設けられているが、筐体６０の前壁および後壁に複数の筐体貫通部６２３が設けられてもよい。
【００６２】
変形例１の電気錠制御装置２では、電池２５の液漏れが発生した場合に凹部６３１に溜まった液体２５１を戸本体１０１の内壁と筐体６０との間の空間に逃がすことができる。これにより、凹部６３１に溜まった液体２５１が、筐体６０の開口部６０２から戸本体１０１の外部に出る可能性を低減できる。なお、電池２５の液漏れが発生した場合でも、電池２５から漏れる液体２５１の量はそれほど多くないので、戸本体１０１の内部に落ちた液体２５１が戸本体１０１の外側に漏れる可能性は少ない。
【００６３】
（３．２）変形例２
変形例２の電気錠制御装置２では、図６に示すように、壁部６３には、設置状態において戸本体１０１の表面１０２側の端部に凹部６３１が設けられ、戸本体１０１の表面１０２と反対側の端部に凹部６３２が設けられている。このように、変形例２の電気錠制御装置２は、壁部６３に凹部６３１，６３２が設けられている点で、実施形態１及び変形例１の電気錠制御装置２と相違する。以下、実施形態１及び変形例１と同様の構成については、共通の符号を付して適宜説明を省略する。
【００６４】
凹部６３１，６３２は、壁部６３において第２収納部６２と対向する部位に設けられ、第１収納部６１側に凹んでいる。また、変形例２では、壁部６３の左端には壁部６３を上下方向に貫通する壁貫通部６０７が設けられ、壁部６３の右端には壁部６３を上下方向に貫通する壁貫通部６０８が設けられている。つまり、壁部６３の左側の端部６３３と筐体６０の内壁との間に壁貫通部６０７が設けられ、壁部６３の右側の端部６３４と筐体６０の内壁との間に壁貫通部６０８が設けられている。壁貫通部６０７，６０８は、壁部６３において制御回路２１が下側に存在しない部位（つまり、設置状態において制御回路２１の上に位置しない部位）に設けられている。また、筐体６０の下壁６０３には、壁貫通部６０７の下側付近に下壁６０３を貫通する貫通孔６０６が設けられ、壁貫通部６０８の下側付近に下壁６０３を貫通する貫通孔６０９が設けられている。
【００６５】
これにより、電池２５の液漏れが発生した場合に、壁部６３に落ちた液体２５１が、凹部６３１，６３２に流れていき、壁貫通部６０７，６０８から第１収納部６１に落下したとしても、液体２５１が制御回路２１に付着する可能性を低減できる。また、壁貫通部６０７，６０８を通って第１収納部６１に落下した液体２５１は貫通孔６０６，６０９を通って戸本体１０１の内部に落ちるので、第１収納部６１に落下した液体２５１が、第１収納部６１の内部にある制御回路２１（後述するコネクタ２１１，２１２を含む）に付着する可能性を低減できる。
【００６６】
（３．３）変形例３
変形例３の電気錠制御装置２では、図７に示すように、第１収納部６１と第２収納部６２との間の壁部６３に、第２収納部６２に収納される電池２５の長手方向に沿って伸びる溝６３５が設けられている。変形例３の電気錠制御装置２は、壁部６３に溝６３５が設けられている点で、実施形態１及び変形例１、２の電気錠制御装置２と相違する。以下、実施形態１及び変形例１、２と同様の構成については、共通の符号を付して適宜説明を省略する。
【００６７】
溝６３５は、壁部６３において第２収納部６２と対向する部位に設けられ、第１収納部６１側に凹んでいる。溝６３５は、ガイド溝６２１，６２２の間の空間に連続しており、溝６３５の幅方向の寸法Ａ１は、電池２５の直径の寸法Ａ２よりも小さい。したがって、電池２５が溝６３５に嵌まることはなく、また電池２５から漏れた液体を溝６３５に溜めることができる。つまり、溝６３５が、壁部６３において第２収納部６２と対向する部位に設けられた凹部となり、この溝６３５（凹部）に、電池２５から漏れた液体を溜めることができる。
【００６８】
ここで、溝６３５（凹部）の底面は、枠体１３０（設置状態において筐体６０の側面６０１と対向する枠体１３０）側の端部（左端）よりも反対側の端部（右端）の方が下方に位置する。したがって、溝６３５に溜まった液体は、枠体１３０と反対側の端部に向かって、つまり開口部６０２と反対側の端部に向かって流れていくから、電池２５から漏れた液体が開口部６０２から外側に漏れる可能性を低減できる。
【００６９】
（３．４）その他の変形例
上記の実施形態では、第１収納部６１が第２収納部６２の下に位置しているが、第１収納部６１の全体が第２収納部６２の下に位置することは必須ではなく、第１収納部６１の一部が上下方向において第２収納部６２と重なる位置にあってもよい。また、左右方向の寸法は多少大きくなるが、左右方向において第１収納部６１の一部が第２収納部６２の外側に位置していてもよい。
【００７０】
上記の実施形態では、電池２５の長手方向が水平方向と平行になるように第２収納部６２に収納されているので、左右方向において電池２５の全体を含む範囲に壁部６３が設けられているが、電池２５の下端と制御回路２１との間に壁部６３が設けられていればよい。例えば、電池２５の長手方向が水平方向に対して斜めになるように第２収納部６２に収納されている場合、電池２５の最下点を少なくとも含む範囲に壁部６３が設けられていればよい。
【００７１】
上記の実施形態では、戸１００が開き戸であったが、戸１００は開き戸に限定されない。
【００７２】
本開示における電気錠制御システム１の実行主体は、コンピュータシステムを含んでいる。コンピュータシステムは、ハードウェアとしてのプロセッサおよびメモリを主構成とする。コンピュータシステムのメモリに記録されたプログラムをプロセッサが実行することによって、本開示における電気錠制御システム１の実行主体としての機能が実現される。プログラムは、コンピュータシステムのメモリに予め記録されていてもよいが、電気通信回線を通じて提供されてもよいし、コンピュータシステムで読み取り可能な非一時的な記録媒体に記録されて提供されてもよい。コンピュータシステムで読み取り可能な非一時的な記録媒体は、メモリカード、光学ディスク、ハードディスクドライブ等である。コンピュータシステムのプロセッサは、半導体集積回路（ＩＣ）又は大規模集積回路（ＬＳＩ）を含む１乃至複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【００７３】
また、上記の実施形態では、電気錠制御システム１が、電気錠制御装置２と、受付装置３とで実現されているが、この構成に限定されない。本実施形態では、電気錠制御装置２が認証部２３の機能を備えているが、受付装置３が認証部２３の機能を備えていてもよい。この場合、受付装置３が、ユーザから受け付けた情報に基づいて認証処理を行い、認証処理に成功した場合は電気錠制御装置２を制御して電気錠４を施錠又は解錠すればよい。また、電気錠制御システム１は、例えば、１つの筐体に収まる１つの装置にて実現されてもよいし、電気錠制御システム１が備える機能が２以上のシステムに分散して設けられてもよい。また、電気錠制御システム１の少なくとも一部の機能（例えば認証部２３の機能）は、例えば、クラウド（クラウドコンピューティング）によって実現されてもよい。
【００７４】
（まとめ）
以上説明したように、第１の態様の電気錠制御装置（２）は、戸（１００）に組み込まれる筐体（６０）と、電気錠（４，４Ａ，４Ｂ）を制御する制御回路（２１）とを備える。筐体（６０）は、制御回路（２１）を収納する第１収納部（６１）と、制御回路（２１）に給電するための電池（２５）を収納する第２収納部（６２）とを有する。設置状態において第１収納部（６１）が第２収納部（６２）の下に位置するように、第１収納部（６１）および第２収納部（６２）が筐体（６０）に設けられる。設置状態とは、筐体（６０）が戸（１００）に組み込まれ、建物（１２０）に設けられた枠体（１３０）に戸（１００）が設置された状態である。筐体（６０）が、設置状態において電池（２５）の下端と制御回路（２１）との間に配置される壁部（６３）を有する。
【００７５】
この態様によれば、電気（２５）の液漏れが発生した場合でも、電池（２５）から漏れた液体（２５１）を壁部（６３）で受けることで、電池（２５）から漏れた液体（２５１）が制御回路（２１）に付着しにくくなる。したがって、電池（２５）から漏れた液体（２５１）によって不具合が発生する可能性を低減できる。
【００７６】
第２の態様の電気錠制御装置（２）では、第１の態様において、壁部（６３）は、第２収納部（６２）と対向する部位に、第１収納部（６１）側に凹んだ凹部（６３１，６３２，６３５）を有する。
【００７７】
この態様によれば、電池（２５）の液漏れが発生した場合でも、電池（２５）から漏れた液体（２５１）を凹部（６３１，６３２，６３５）に溜めることができ、電池（２５）から漏れた液体（２５１）が制御回路（２１）に付着しにくくなる、という利点がある。
【００７８】
第３の態様の電気錠制御装置（２）では、第２の態様において、筐体（６０）の少なくとも一部は、設置状態において戸（１００）における枠体（１３０）側の表面に露出する。筐体（６０）は、枠体（１３０）側の表面に露出する部位に、電池（２５）を第２収納部（６２）に挿入するための開口部（６０２）を有する。設置状態において、凹部（６３１）の底面が、開口部（６０２）の下端よりも下方に位置する。
【００７９】
この態様によれば、凹部（６３１，６３２，６３５）に溜まった液体（２５１）が、開口部（６０２）から筐体（６０）の外側に出る可能性を低減できる。
【００８０】
第４の態様の電気錠制御装置（２）では、第３の態様において、設置状態において、凹部（６３５）の底面は、枠体（１３０）側の端部よりも反対側の端部の方が下方に位置する。
【００８１】
この態様によれば、凹部（６３５）に溜まった液体（２５１）は、枠体（１３０）と反対側の端部に流れていくので、液体（２５１）が開口部（６０２）から筐体（６０）の外側に出る可能性を低減できる。
【００８２】
第５の態様の電気錠制御装置（２）では、第３又は第４の態様において、電池（２５）の形は円筒形である。壁部（６３）は、第２収納部（６２）に収納される電池（２５）の長手方向に沿って設けられる。凹部は、電池（２５）の長手方向に沿って壁部（６３）に設けられた溝（６３５）である。溝（６３５）の幅方向の寸法（Ａ１）が、電池（２５）の直径の寸法（Ａ２）よりも小さい。
【００８３】
この態様によれば、溝（６３５）は電池（２５）の長手方向に沿って設けられているので、電池（２５）から漏れた液体（２５１）が溝（６３５）に溜まりやすくなる。したがって、電池（２５）から漏れた液体（２５１）が制御回路（２１）に付着しにくくなる。また、溝（６３５）の幅方向の寸法（Ａ１）が、電池（２５）の直径の寸法（Ａ２）よりも小さいので、電池（２５）が溝（６３５）に嵌まる可能性を低減できる。
【００８４】
第６の態様の電気錠制御装置（２）では、第２〜第５のいずれかの態様において、筐体（６０）には、筐体（６０）の外部と凹部（６３１）との間で筐体（６０）を貫通する筐体貫通部（６２３）を有する。
【００８５】
この態様によれば、凹部（６３１）に流れてきた液体（２５１）を筐体貫通部（６２３）を通して筐体（６０）の外部に逃がすことができる。
【００８６】
第７の態様の電気錠制御装置（２）では、第２〜第６のいずれかの態様において、壁部（６３）における凹部（６３１，６３２）の底面であって、設置状態において制御回路（２１）の上に位置しない部位には、壁部（６３）を上下方向に貫通する壁貫通部（６０７，６０８）を有する。
【００８７】
この態様によれば、凹部（６３１，６３２）に流れてきた液体（２５１）を貫通部（６０７，６０８）を通して第１収納部（６１）側に逃がすことができる。しかも、貫通部（６０７，６０８）は、設置状態において制御回路（２１）の上に位置しない部位に設けられているので、貫通部（６０７，６０８）を通して落下した液体（２５１）が制御回路（２１）に付着しにくくなる。
【００８８】
なお、第２〜第７の態様に係る構成については、電気錠制御装置（２）に必須の構成ではなく、適宜省略可能である。
【００８９】
第８の態様の電気錠制御システム（１）は、第１〜第７のいずれかの態様の電気錠制御装置（２）と、受付装置（３）と、を備える。受付装置（３）は、電気錠（４，４Ａ，４Ｂ）の施錠および解錠の少なくとも一方のための情報受け付ける。
【００９０】
この態様によれば、電池（２５）の液漏れが発生した場合でも、電池（２５）から漏れた液体（２５１）によって不具合が発生する可能性を低減可能な電気錠制御システム（１）を実現できる。
【００９１】
第９の態様の電気錠システム（１０）は、第８の態様の電気錠制御システム（１）と、電気錠（４，４Ａ，４Ｂ）と、を備える。電気錠（４，４Ａ，４Ｂ）は、戸（１００）の施錠および解錠の少なくとも一方を行う。
【００９２】
この態様によれば、電池（２５）の液漏れが発生した場合でも、電池（２５）から漏れた液体（２５１）によって不具合が発生する可能性を低減可能な電気錠システム（１０）を実現できる。
【００９３】
第１０の態様の電気錠付戸（１００）は、第９の態様の電気錠システム（１０）と、電気錠システム（１０）が取り付けられる戸本体（１０１）と、を備える。
【００９４】
この態様によれば、電池（２５）の液漏れが発生した場合でも、電池（２５）から漏れた液体（２５１）によって不具合が発生する可能性を低減可能な電気錠付戸（１００）を実現できる。
【符号の説明】
【００９５】
１  電気錠制御システム
２  電気錠制御装置
３  受付装置
４，４Ａ，４Ｂ  電気錠
１０  電気錠システム
２１  制御回路
２５  電池
６０  筐体
６１  第１収納部
６２  第２収納部
６３  壁部
１００  戸（電気錠付戸）
１０１  戸本体
１２０  建物
１３０  枠体
６０２  開口部
６０７，６０８  貫通部
６３１，６３２  凹部
６３５  溝
Ａ１  溝の幅方向の寸法
Ａ２  電池の直径の寸法
【図１】
2019108684.tif 000003
【図２】
2019108684.tif 000004
【図３】
2019108684.tif 000005
【図４】
2019108684.tif 000006
【図５】
2019108684.tif 000007
【図６】
2019108684.tif 000008
【図７】
2019108684.tif 000009